(57)【要約】  本発明は、少なくとも１つの刃（４）と、プラットフォーム（１）と、２つの端部を有し少なくとも１つの刃の前方に、かつ刃の切断縁に平行に位置している保護バー（２）とを有するウェットシェービング装置の製造方法に関し、前記方法は、２つの端部を有する保護バー（２）を用意するステップと、前記保護バーを、前記プラットフォーム用の金型のキャビティ内に配置するステップと、金型のキャビティ内に合成樹脂を射出することによって、プラットフォームの少なくとも一部を成形するステップと、を有し、プラットフォームの前記少なくとも一部（３）は、前記保護バーの前記端部を覆うように成形される。保護バーは、金属または木で作られていてもよく、広範な直径および形状を有していてもよく、平滑であっても粗くてもよく、複数の突出部を有していてもよい。
2007515190.tif 000002
【特許請求の範囲】
【請求項１】
少なくとも１つの刃（４）と、プラットフォーム（１）と、２つの端部を有し前記少なくとも１つの刃の前方に、かつ前記刃の切断縁に平行に位置している保護バー（２）とを有するウェットシェービング装置の製造方法であって、
前記２つの端部を有する前記保護バー（２）を用意するステップと、
前記保護バーを、前記プラットフォーム用の金型のキャビティ内に配置するステップと、
前記金型の前記キャビティ内に合成樹脂を射出することによって、前記プラットフォームの少なくとも一部を成形するステップと、
を有し、
前記プラットフォームの前記少なくとも一部（３）は、前記保護バーの前記端部を覆うように成形される、
ウェットシェービング装置の製造方法。
【請求項２】
前記保護バーは、金属と木とからなるグループから選択された材料で作られる、請求項１に記載の方法。
【請求項３】
前記金属は、鋼、ステンレス鋼、アルミニウム、銅、ニッケル、および金属合金からなるグループから選択される、請求項２に記載の方法。
【請求項４】
前記金属はステンレス鋼である、請求項３に記載の方法。
【請求項５】
前記木は、実質的に耐腐食性の木、防腐性の木、耐水性の木、防水性の木、チーク、サラノキ、ホラック、ブナ、マホガニー、およびヒマラヤスギの中から選択される、請求項２に記載の方法。
【請求項６】
前記保護バーは、実質的に円形の断面を有し長手方向に延びている形状の部材である、請求項１に記載の方法。
【請求項７】
少なくとも１つの刃（４）と、プラットフォーム（１）と、２つの端部を有し前記少なくとも１つの刃の前方に、かつ前記刃の切断縁に平行に位置している保護バー（２）とを有し、前記プラットフォームは、前記保護バーの前記端部を覆うように成形された複数の部分（３）を有している、ウェットシェービング装置。
【請求項８】
前記保護バーは、金属と木とからなるグループから選択された材料で作られている、請求項７に記載のウェットシェービング装置。
【請求項９】
前記金属は、鋼、ステンレス鋼、アルミニウム、銅、ニッケル、および金属合金からなるグループから選択されている、請求項８に記載のウェットシェービング装置。
【請求項１０】
前記金属はステンレス鋼である、請求項９に記載のウェットシェービング装置。
【請求項１１】
前記木は、実質的に耐腐食性の木、防腐性の木、耐水性の木、防水性の木、チーク、サラノキ、ホラック、ブナ、マホガニー、およびヒマラヤスギの中から選択されている、請求項８に記載のウェットシェービング装置。
【請求項１２】
前記保護バーは、実質的に円形の断面を有し長手方向に延びている形状の部材である、請求項７に記載のウェットシェービング装置。
【請求項１３】
請求項１の方法によって得られるシェービング装置。
【発明の詳細な説明】
【技術分野】
【０００１】
本発明は、保護バー（ガードバー）を備えたウェットシェービング装置の、改良された製造方法と、得られたウェットシェービング装置に関する。
【背景技術】
【０００２】
当業者に知られているように、ウェットシェービング装置は一般に、通常は堅い合成樹脂から作られているプラットフォームに配置されている少なくとも１つのかみそりの刃と、場合によっては存在する刃の後ろのカバーと、刃の前にある、刃の切断縁に平行な保護バーとを有している。
【０００３】
長年にわたって、いくつかの刃、例えば２つまたは３つの刃を有する装置や、カバー上に潤滑帯部（lubricating strip）を有する装置や、長手方向に延びている、皮膚に接触する突出部を備えている保護バーを有する装置や、エラストマ材料からなる保護バーを有する装置や、水に溶出可能な材料を含む保護バーを有する装置など、さまざまな具体例が開発されてきた。プラットフォーム自体は、単一のものである場合もあり、いくつかの部分から作られている場合もある。
【０００４】
通常、保護バーは堅い合成樹脂材料からなる。いくつかの具体例では、保護バーは、エラストマ材料からなる、皮膚に接触する部分を有している。
【０００５】
保護バーは、シェービング装置が使用されるときに皮膚と最初に接触する点になるように構成されており、その材料と、形状と、刃、すなわち第１の刃に対する位置は、結果として得られるシェービングの快適さに関連して重要である。特に、保護バーは、保護バーの皮膚に接触する部分の材料および形状（堅い複数のフィン、エラストマの複数のフィン、様々な形状の複数の突出部および／または複数の凹部）に応じて、皮膚に対してわずかな抵抗、すなわち摩擦を作用させる。これによって、皮膚が延ばされ、その結果、皮膚が保護バーと刃、すなわち第１の刃との間に挟まれるのを防止するのを助ける。シェービングの快適さは、皮膚に接触するため、保護バー用に用いられる材料にも左右される。
【０００６】
金属製の保護バーは、シェービング時に感じる冷たい感触のため、快適に思う使用者もいる。
【０００７】
米国特許第２，３４９，２５２号は、プラットフォーム上に存在する弾性のある複数のフィンガの下に滑り込まされており、平行に延びている２つの端部を有する長手方向に波形になっているワイヤからなる保護部（ガード）を有するシェービング装置を開示している。
【０００８】
米国特許第４，５０２，２１７号は、複数の歯を備え、プラットフォーム、すなわち基部に圧力嵌めによって配置された金属製の保護バーを有するシェービング器具を開示している。金属製の保護バーは、長手方向に延びるバーと、バーに対してある角度を成す２つの短い端部脚とを有しており、したがって、図９（参照符号６）に示されているようにＵ字状である。保護バーは基部に圧力嵌めされている。
【発明の開示】
【発明が解決しようとする課題】
【０００９】
しかし、このような具体例にはいくつかの欠点が存在する。すなわち、全ての組み立て品を一定の形状にすることが困難であり、確実な圧力嵌めを行うためには非常に小さな公差しかなく、そのような小さな公差でワイヤの金属バーを切断してＵ字状に形成するのは困難であり、そして、保護バーの直径の範囲が狭い（１．２ｍｍから２．２ｍｍ）。この特許では、小さい公差の問題が指摘されており、両方の脚がプラットフォームに挿入されるときにプラットフォームの複数の突出部が過度の圧力で固定されることによって変形しないように、保護バーの両方の脚は、プラットフォームに設けられた、脚を受け入れる凹部内に、遊びがなく円滑に嵌まらなければならないと述べられている。したがって、このような方法は満足のいくものではない。
【００１０】
シェービング装置の製造方法がより容易に実施できるように、保護バーをプラットフォームに取り付けるときに保護バーの形状と公差の基準がもはや問題にならないようなウェットシェービング装置の製造方法に対する要求が依然として存在している。
【課題を解決するための手段】
【００１１】
本発明の目的は、少なくとも１つの刃と、プラットフォームと、２つの端部を有し少なくとも１つの刃の前方に、かつ刃の切断縁に平行に位置している保護バーとを有するウェットシェービング装置の製造方法を提供することにあり、前記方法は、
−２つの端部を有する保護バー（２）を用意するステップと、
−前記保護バーを、前記プラットフォーム用の金型のキャビティ内に配置するステップと、
−金型のキャビティ内に合成樹脂を射出することによって、プラットフォームの少なくとも一部を成形するステップと、
を有し、
プラットフォームの前記少なくとも一部は、前記保護バーの前記端部を覆うように成形される。
【００１２】
このようにして、保護バーはプラットフォームに取り付けられて固定される。
【００１３】
保護バーは、任意の適切な材料、特に金属と木で作ることができる。
【００１４】
本発明の他の目的は、本発明の方法によって得られたウェットシェービング装置を提供することである。
【００１５】
本発明の他の目的は、少なくとも１つの刃と、プラットフォームと、２つの端部を有し少なくとも１つの刃の前方に、かつ刃の切断縁に平行に位置している保護バーとを有し、前記プラットフォームは、前記保護バーの前記端部を覆うように成形された複数の部分を有している、ウェットシェービング装置を提供することにある。
【発明を実施するための最良の形態】
【００１６】
本発明の前記した目的および利点とその他の目的および利点が、添付する図面と合わせて考慮される、本発明の詳細な説明から明らかになるであろう。
【００１７】
前述したように、本発明のシェービング装置の保護バーは、プラットフォームの一部を前記保護バーの両端部を覆うように成形することによって、その両端部によりプラットフォームに取り付けられて固定されている。
【００１８】
より具体的には、合成樹脂製のプラットフォームの成形工程中に、金型がまだ開いているうちに、２つの端部を有している保護バーが、複数の金型部分のうちの１つの内側の適切な位置に挿入され、バーの２つの端部は合成樹脂に覆われずに露出している。その後、金型が閉じられて、合成樹脂が金型内に射出される。それから、保護バーの両端部は、プラットフォームまたはプラットフォームの一部を形成する合成樹脂に覆われ、それによってシェービング装置のプラットフォームに取り付けられて固定される。プラットフォームがいくつかの部分から作られているときには、プラットフォーム形成を完了するために、場合によっては種類が異なる合成樹脂が、連続して数回射出されてもよい。
【００１９】
それから、シェービング装置を作る方法において、当業者には知られているように、カバーと、潤滑帯部が存在する場合にはその潤滑帯部とを形成するために、材料を射出する複数のステップとが存在する場合もある。
【００２０】
保護部は、その２つの端部がプラットフォームに取り付け可能である限り、すなわち、２つの端部の間の間隔がプラットフォームの幅よりも長くない限り、任意の材料、任意の形状、および／または任意の寸法であってよい。本発明は、保護バーを取り付ける圧力嵌め工程に関連する公差の厳格な基準は必要なく、より快適でより安全なシェービング性能のために、あらゆる種類の材料、あらゆる外形、およびあらゆる直径の保護バーを用いることができる。特に、本発明では、金属のように冷たい感触を有し、金属および木のように使用者にとって一般的に快適である材料を選択することができる。さらに、本発明では、正確に配置することとシェーバー全体の形状を制御することが可能である。さらに、組み立て方法と組み立て装置に影響を与えずに、様々な形状および直径を有する保護ガードバーを配置することが可能である。
【００２１】
公差がもはや問題にならないため、もはやＵ字状の保護バーを備える必要はなく、プラットフォームの凹部に一致する形状／寸法の厳しい要件に従う必要もない。
【００２２】
したがって、本発明によれば、保護バーは円形または実質的に円形の断面を有していてもよい。保護バーは、たとえば約１ｍｍから約４ｍｍの広い範囲の直径を有していてよい。また、楕円形の断面または不規則な断面など、他の複雑な幾何形状を有していてもよい。好ましい実施形態では、保護バーは円形または実質的に円形の断面を有している。
【００２３】
さらに、本発明によると、保護バーは、平滑であっても、研磨されていても、または粗くてもよい。保護バーは、引用によってここに援用される米国特許第４，５０２，２１７号および第４，９９８，３４７号に記載されているような、長手方向の複数のフィン、または複数の溝および山部、あるいは不規則にまたは規則的に分散した複数の歯などの、複数の突出部を有していてもよい。
【００２４】
さらに、本発明によれば、保護部は、長手方向に延びている部材（longitudinal body）であってもよく、その部材の軸線に実質的に垂直に延びている２つの端部を備えている、長手方向に延びている部材であってもよい。
【００２５】
保護バーは、例えば、ステンレス鋼、鋼、アルミニウム、銅、ニッケル、および金属合金などの金属から作られていてもよく、好ましくはステンレス鋼である。
【００２６】
保護部材は木で作られていてもよく、シェービングに用いられることによりそれに伴って水と繰り返し接触するのに耐えるように、例えば、実質的に耐腐食性（rot-resistant）または防腐性（rot-proof）と、耐水性（water-resistant）または防水性（water-proof）を有する、自然の、または処理された後のあらゆる木で作られていてもよい。その例は、チーク、サラノキ、ホラック（hollak）、ブナ、マホガニー、およびヒマラヤスギ（cedar）であり、好ましくはチークである。保護バーに用いられる木は、特定の形状に切断されても押し出されてもよい。
【００２７】
本発明の好ましい実施形態では、保護バーは金属で作られており、円形または実質的に円形の断面を有する長手方向に延びている形状の部材である。
【００２８】
本発明のシェービング装置、すなわち本発明の方法によって作られたシェービング装置は、いくつかの刃、例えば２つ、３つ、または４つの刃を有していてもよく、カバーおよび／または潤滑帯部など、当業者には知られている他の部材を有していてもよいのは明らかである。シェービング装置は、当業者には知られているように、ハンドルに、動くようにまたは動かないように取り付けられていてもよい。
【００２９】
図１〜４のシェービング装置は、プラットフォーム１と、少なくとも１つの刃４と、平滑な保護バー２とを有している。図３には、合成樹脂のプラットフォームの、保護バー２の両端部を覆い、それによって保護バーをプラットフォームに取り付けて固定している複数の部分３が見られる。
【００３０】
本発明は、様々な形態のシェービング装置に適用可能であり、ここに記載され図面に示されている実施形態に限定されない。
【図面の簡単な説明】
【００３１】
【図１】本発明のシェービング装置の実施形態の（刃は示していない）斜視図である。
【図２】図１のシェービング装置の断面図である。
【図３】図２の一部の拡大図である。
【図４】本発明のシェービング装置の実施形態の斜視図である。
【図１】
2007515190.tif 000003
【図２】
2007515190.tif 000004
【図３】
2007515190.tif 000005
【図４】
2007515190.tif 000006
【国際調査報告】
2007515190.tif 000007
2007515190.tif 000008
2007515190.tif 000009